(57)【要約】【課題】本発明は、薬品を容易に探し出すことができる多機能薬箱を提供することである。【解決手段】本発明に係る多機能薬箱は、箱体と、カバーと、制御ユニットと、入力ユニットと、記憶ユニットと、表示ユニットと、を備える。前記箱体には引き出しが設置されている。ユーザーが薬を格納する際に、入力ユニットによって取得された薬の情報を制御ユニットに伝送し、制御ユニットは、薬の種類の名称及び指定された引き出しを判断し、且つ対応するデータを記憶ユニットに記憶しながら表示ユニットに伝送して表示する。ユーザーが薬を取る際に、入力ユニットによって取得された入力された薬の一部の情報を制御ユニットに伝送し、制御ユニットは、ユーザーによって入力された薬の一部の情報に基づいて記憶ユニットから薬の情報、薬の種類の名称及び指定された引き出しを探し、且つ対応するデータを表示ユニットに伝送して表示する。【選択図】図１
2014018669.tif 000002
【特許請求の範囲】
【請求項１】
箱体及び前記箱体の片側に設置されたカバーを備え、前記箱体には引き出しが設置されている、多機能薬箱であって、
制御ユニット及び前記制御ユニットに電気的に接続される入力ユニット、記憶ユニット、表示ユニット、をさらに備え、
ユーザーが薬を収納する際に、前記入力ユニットによって取得された薬の情報を制御ユニットに伝送し、前記制御ユニットは、薬の種類名称及び指定された引き出しを判断し、且つ対応するデータを前記記憶ユニットに記憶しながら前記表示ユニットに伝送して表示し、ユーザーが薬を取り出す際に、前記入力ユニットによって取得された入力された薬の一部の情報を前記制御ユニットに伝送し、前記制御ユニットは、ユーザーによって入力された薬の一部の情報に基づいて前記記憶ユニットから薬の情報、薬の種類の名称及び指定された引き出しを探し、且つ対応するデータを表示ユニットに伝送して表示することを特徴とする多機能薬箱。
【請求項２】
前記入力ユニットは、スキャナー及びコントロールパネルを備え、
ユーザーが薬を収納する際に、前記スキャナーは、走査することによって薬の情報を取得し前記薬の情報を前記制御ユニットに伝送し、
ユーザーが薬を取り出す際に、前記コントロールパネルによって前記薬の一部の情報を入力し、前記コントロールパネルが前記薬の一部の情報を受け取って前記制御ユニットに伝送することを特徴とする、請求項１に記載の多機能薬箱。
【請求項３】
前記表示ユニットは、前記カバーの外側に設置された第一表示部を備え、前記第一表示部は、薬の情報、薬の種類の名称及び指定された引き出しを表示することに用いられることを特徴とする、請求項１又は２に記載の多機能薬箱。
【請求項４】
前記表示ユニットは、各引き出しの外側に設置された第二表示部を備え、前記第二表示部は、引き出しに収納される薬の種類の名称を表示することに用いられることを特徴とする、請求項１から３のいずれか１項に記載の多機能薬箱。
【請求項５】
前記制御ユニットは、各引き出しに収納される薬の種類の名称を指定することに用いられることを特徴とする、請求項１から４のいずれか１項に記載の多機能薬箱。
【請求項６】
前記薬の情報は、薬の有効期限を含み、前記制御ユニットは、前記記憶ユニットに記憶された薬の有効期限を監視することにも用いられ、薬の有効期限が過ぎた場合、前記制御ユニットは、前記表示ユニットによって有効期限が過ぎた薬の情報を表示することを特徴とする、請求項１から５のいずれか１項に記載の多機能薬箱。
【発明の詳細な説明】
【技術分野】
【０００１】
本発明は、多機能薬箱に関し、より詳しくは薬を容易に探し出すことができる多機能薬箱に関するものである。
【背景技術】
【０００２】
現在の薬箱は、一般的に薬を収納するという単一の機能しか備わっていない。従って、薬箱に多数の薬を収納している場合、薬を探すのに不便である。また、薬箱に収納されている薬は、有効期限が過ぎていないかどうかは一目では分からない。従って、有効期限を過ぎた薬をそのまま薬箱の中に放置しておくと、薬箱の空間が無駄になるだけでなく、ユーザーの誤飲を招く恐れがある。
【発明の概要】
【発明が解決しようとする課題】
【０００３】
本発明の目的は、前記課題を解決し、薬を容易に探し出すことができる多機能薬箱を提供することである。
【課題を解決するための手段】
【０００４】
本発明に係る多機能薬箱には、箱体及び前記箱体の片側に設置されたカバーを備え、前記箱体には、引き出しが設置されている。また、前記多機能薬箱は、制御ユニット及び前記制御ユニットに電気的に接続される入力ユニット、記憶ユニット、表示ユニット、をさらに備える。ユーザーが薬を収納する際に、前記入力ユニットによって取得された薬の情報を制御ユニットに伝送し、前記制御ユニットは、薬の種類の名称及び指定された引き出しを判断し、且つ対応するデータを前記記憶ユニットに記憶しながら前記表示ユニットに伝送して表示し、ユーザーが薬を取り出す際に、前記入力ユニットによって取得された入力された薬の一部の情報を前記制御ユニットに伝送し、前記制御ユニットは、ユーザーによって入力された薬の一部の情報に基づいて前記記憶ユニットから薬の情報、薬の種類の名称及び指定された引き出しを探し、且つ対応するデータを表示ユニットに伝送して表示する。
【発明の効果】
【０００５】
本発明の多機能薬箱では、表示ユニットによって薬の情報、薬の種類の名称及び指定された引き出しを表示する。従って、ユーザーは、この表示ユニットによって表示された情報に基づいて指定された引き出しから薬を容易に探し出すことができる。
【図面の簡単な説明】
【０００６】
【図１】本発明の実施形態に係る多機能薬箱を示す図である。
【図２】図１に示す多機能薬箱の機能ブロック図である。
【発明を実施するための形態】
【０００７】
以下、図面を参照して、本発明の実施形態について説明する。
【０００８】
図１及び図２を参照すると、本発明の実施形態に係る多機能薬箱１００は、薬を収納し、薬を分類管理し、且つ有効期限が過ぎた薬を提示するために用いられる。多機能薬箱１００は、箱体１０と、カバー３０と、制御装置５０と、を備える。
【０００９】
箱体１０はほぼ矩形を呈し、その内部に薬を収納するための引き出し１１が並んで設置されている。各引き出し１１は、風邪薬、咳止めなどのような多種の薬の中の一種を収納するために用いられる。カバー３０は、箱体１０の片側に設置されて箱体１０を開閉する。
【００１０】
制御装置５０は、入力ユニット５１と、制御ユニット５２と、記憶ユニット５３と、表示ユニット５４と、を備える。制御ユニット５２は、入力ユニット５１、記憶ユニット５３及び表示ユニット５４に電気的に接続される。
【００１１】
入力ユニット５１は、スキャナー５１１及びコントロールパネル５１２を備える。スキャナー５１１は、ユーザーが薬を収納する際、ユーザーがスキャナー５１１を使用して薬を走査することによって、薬の名称、有効期限などの薬の情報を取得した後、制御ユニット５２に伝送することに用いられる。また、コントロールパネル５１２は、ユーザーが薬を取り出す際、ユーザーが、薬の名称のような薬の一部の情報を入力して、制御ユニット５２に伝送することに用いられる。
【００１２】
薬を収納する際、制御ユニット５２は、薬の情報に基づいて、薬の名称及び指定された引き出し１１を判断し、且つ薬の情報、薬の種類の名称及び指定された引き出し１１に対応するデータを記憶ユニット５３に記憶しながら表示ユニット５４に伝送して表示することに用いられる。薬を取り出す際、ユーザーが入力した薬の一部の情報に基づいて、記憶ユニット５３から薬の情報、薬の種類の名称及び指定された引き出し１１を探し出し、且つ上述のデータを表示ユニット５４に伝送して表示する。
【００１３】
記憶ユニット５３は、薬の情報、薬の種類の名称及び指定された引き出し１１に対応するデータを記憶するために用いられる。
【００１４】
表示ユニット５４は、カバー３０の外側に設置された第一表示部５４１及び各引き出し１１の外側に設置された第二表示部５４２を備える。第一表示部５４１は、ユーザーが薬を収納する際又は取り出す際、薬の情報、薬の種類の名称及び指定された引き出し１１を表示することに用いられる。第二表示部５４２は、引き出し１１に収納される薬の名称を表示することに用いられる。これにより、薬を探すことが便利になる。
【００１５】
ユーザーが薬を収納する際、スキャナー５１１によって、薬の名称、有効期限などの薬の情報を取得して、該薬の情報を制御ユニット５２に伝送する。制御ユニット５２は、受信した薬の情報に基づいて、薬の種類の名称及び指定された引き出し１１を判断し、且つ薬の情報、薬の種類の名称及び指定された引き出し１１に対応するデータを記憶ユニット５３に記憶しながら第一表示部５４１に伝送して表示する。ユーザーは、表示ユニット５４によって表示された薬の情報に基づいて、薬を指定された引き出し１１に収納する。
【００１６】
薬を取り出す際、ユーザーは、コントロールパネル５１２を用いて、薬の種類の名称等の薬の一部の情報を入力する。制御ユニット５２は、ユーザーによって入力された薬の一部の情報に基づいて、記憶ユニット５３から薬の情報、薬の種類の名称及び指定された引き出し１１を探し、且つ上述のデータを第一表示部５４１に伝送して表示する。これにより、表示ユニット５４の表示情報に基づいて指定された引き出し１１から薬を容易に探し出すことができる。
【００１７】
また、制御ユニット５２は、記憶ユニット５３に記憶された薬の有効期限を監視することもできる。ある薬の有効期限が過ぎた場合、制御ユニット５２は、第一表示部５４１によって有効期限が過ぎた薬の情報、薬の種類の名称及び指定された引き出し１１を表示する。これにより、ユーザーは、有効期限が過ぎた薬を直ちに処理することができ、薬箱の空間を無駄にすることを避け、且つ有効期限が過ぎた薬の誤飲を防止することができる。
【００１８】
各薬の種類の名称に対応する引き出し１１の位置は、制御ユニット５２によって自動的に指定することができる。また、個人の使用習慣に基づき、コントロールパネル５１２によって設定することもできる。しかし、この時、第二表示部５４２によって表示される薬の種類の名称と引き出し１１に収納される薬の種類は同じでなければならない。
【００１９】
以上、本発明を実施形態に基づいて具体的に説明したが、本発明は、上述の実施形態に限定されるものではなく、その要旨を逸脱しない範囲において、種々の変更が可能であることは勿論であって、本発明の保護範囲は、以下の特許請求の範囲から決まる。
【符号の説明】
【００２０】
１０  箱体
１１  引き出し
３０  カバー
５０  制御装置
５１  入力ユニット
５２  制御ユニット
５３  記憶ユニット
５４  表示ユニット
１００  多機能薬箱
５１１  スキャナー
５１２  コントロールパネル
５４１  第一表示部
５４２  第二表示部
【図１】
2014018669.tif 000003
【図２】
2014018669.tif 000004